(57)【要約】【課題】撮影者の撮影条件の較正に要する負荷を軽減し、撮影側及び現像側の双方の画像処理の負荷を軽減し、さらには撮影設備の長期間の使用を可能とする。【解決手段】デジタルカメラ１は、被写体を撮像し画像データを取得する撮像手段と、前記画像データを撮影制御装置７に送信する送信装置３３とを備え、撮影制御装置７は、デジタルカメラ１から受信される画像データを解析して状態制御情報を取得し、状態制御情報を撮像補助装置５に送信する画像処理装置７４を備え、撮像補助装置５は、撮像補助部５０と、撮影制御装置７から受信される状態制御情報に基づいて撮像補助部５０を制御する状態制御部４１とを備える。【選択図】図１
2007067870.tif 000002
【特許請求の範囲】
【請求項１】
デジタルカメラと、撮像補助装置と、撮影制御装置と、を備え、
前記デジタルカメラは、
被写体の光学像をデジタルの画像データに変換するための撮像手段と、
前記撮影制御装置との通信を介する第１の通信手段と、
前記撮像手段により撮像された前記画像データを、前記第１の通信手段を介して前記撮影制御装置に送信する第１の通信制御手段と、を備え、
前記撮像補助装置は、
前記被写体の状態を調整する撮像補助手段と、
前記撮像補助手段を制御する状態制御手段と、
前記撮影制御装置との通信を介する第２の通信手段と、を備え、
前記撮影制御装置は、
前記デジタルカメラ及び前記撮影制御装置との通信を介する第３の通信手段と、
前記第３の通信手段を介して前記画像データを前記デジタルカメラから受信し、当該画像データを画像解析して、前記状態制御手段を動作するための状態制御情報を取得する画像解析手段と、
前記第３の通信手段を介して前記状態制御情報を前記撮像補助装置に送信する第２の通信制御手段と、を備え、
前記状態制御手段は、前記第２の通信手段を介して前記状態制御情報を前記撮影制御装置から受信し、当該状態制御情報に基づいて前記撮像補助手段を制御して前記被写体の状態を調整することを特徴とするデジタルカメラシステム。
【請求項２】
前記デジタルカメラは、
前記撮像手段を遠隔操作するための遠隔操作手段を備え、
前記第２の通信制御手段は、前記第３の通信手段を介して前記撮像手段のシャッタ開始を指示する遠隔操作情報を前記デジタルカメラに送信し、
前記遠隔操作手段は、前記第１の通信手段を介して前記遠隔操作情報を前記撮影制御装置から受信し、当該遠隔操作情報に基づいて前記撮像手段を操作することを特徴とする請求項１に記載のデジタルカメラシステム。
【請求項３】
前記第１の通信手段は、無線ＬＡＮによりインターネットに接続して通信し、
前記遠隔操作手段は、ＰＴＰ／ＩＰ（Picture Transfer Protocol over Internet Protocol）に準拠することを特徴とする請求項２に記載のデジタルカメラシステム。
【請求項４】
前記撮影制御装置は、前記状態制御情報を変更して前記被写体の状態を自動的に最適化する自動較正手段を備えることを特徴とする請求項１から３のいずれか一項に記載のデジタルカメラシステム。
【請求項５】
前記第１の通信手段は、前記撮影制御装置及び前記撮像補助装置との通信を介し、
前記第２の通信手段は、前記撮影制御装置及び前記デジタルカメラとの通信を介することを特徴とする請求項１から４のいずれか一項に記載のデジタルカメラシステム。
【請求項６】
前記デジタルカメラは、
前記デジタルカメラシステムの利用者を特定するための第１の識別情報と、前記撮影制御装置へ前記第１の通信手段を介して前記画像データの送信を行うための第１のアドレス情報と、前記撮像補助装置へ前記第１の通信手段を介して通信を行うための第２のアドレス情報と、前記撮影制御装置から前記撮像補助装置へ前記第３の通信手段を介して前記状態制御情報を送信するための第３のアドレス情報と、前記デジタルカメラ、撮像補助装置の機種等を特定するための第２の識別情報と、の少なくとも１つを取得する取得手段を備えることを特徴とする請求項５に記載のデジタルカメラシステム。
【請求項７】
前記デジタルカメラは、
前記取得手段により取得された情報を前記画像データに添付する第１の添付手段を備えることを特徴とする請求項６に記載のデジタルカメラシステム。
【請求項８】
前記デジタルカメラは、
前記撮像手段により撮像されたＲａｗデータ形式の画像データに対し、少なくとも色補正及び階調補正の画像処理を施した画像データ、又は少なくとも色補正及び階調補正の画像処理条件並びに現像条件の添付されたＲａｗデータ形式の画像データを生成する第１の生成手段を備え、
前記第１の通信制御手段は、前記第１の生成手段により生成された画像データを前記第１の通信手段を介して前記撮影制御装置に送信することを特徴とする請求項１から７のいずれか一項に記載のデジタルカメラシステム。
【請求項９】
前記デジタルカメラは、
前記撮像手段により撮像された画像データの画像サイズを縮小した縮小画像データ、又は圧縮した圧縮画像データを生成する第２の生成手段を備え、
前記第１の通信制御手段は、前記第２の生成手段により生成された画像データを前記第１の通信手段を介して前記撮影制御装置に送信することを特徴とする請求項１から８のいずれか一項に記載のデジタルカメラシステム。
【請求項１０】
前記デジタルカメラは、
前記画像データに対し、Ｅｘｉｆ（Exchangeable Image File Format）情報を添付する第２の添付手段を備えることを特徴とする請求項１から９のいずれか一項に記載のデジタルカメラシステム。
【請求項１１】
前記撮影制御装置は、
前記色補正や階調補正の他、鮮鋭化、ノイズ除去等の画像処理に関する設定パラメータを算出する算出手段を備え、
前記第２の通信制御手段は、前記第３の通信手段を介して前記算出された設定パラメータを前記デジタルカメラに送信し、
前記デジタルカメラは、
前記第１の通信手段を介して前記設定パラメータを前記撮影制御装置から受信し、当該設定パラメータを用いて、前記撮像手段により撮像された画像データに対し画像処理を行う画像処理手段を備えることを特徴とする請求項１から１０のいずれか一項に記載のデジタルカメラシステム。
【請求項１２】
前記撮影制御装置は、
プリント注文用の色補正及び階調補正の画像処理の施された画像データ、又は画像処理条件の添付された画像データを生成する第３の生成手段を備え、
前記第２の通信制御手段は、前記第３の通信手段を介して前記第３の生成手段により生成された画像データを前記デジタルカメラに送信することを特徴とする請求項１から１１のいずれか一項に記載のデジタルカメラシステム。
【請求項１３】
前記撮像補助手段は、ライティング手段であり、
前記状態制御情報は、前記ライティング手段のライティング条件であり、
前記状態制御手段は、前記ライティング手段の制御を行い、
前記画像解析手段は、少なくともシーン判別処理を用いて前記画像データを画像解析することを特徴とする請求項１から１２のいずれか一項に記載のデジタルカメラシステム。
【請求項１４】
前記撮像補助手段は、前記被写体の容姿変更手段であり、
前記状態制御情報は、前記容姿変更手段の容姿条件であり、
前記状態制御手段は、前記容姿変更手段の制御を行い、
前記画像解析手段は、少なくとも表情認識処理を用いて前記画像データを画像解析することを特徴とする請求項１から１３のいずれか一項に記載のデジタルカメラシステム。
【請求項１５】
前記遠隔操作手段は、露出制御手段であり、
前記遠隔操作情報が、露出条件であり、
前記画像解析手段が、シーン判別処理及び表情認識処理の少なくとも一つを用いて前記画像データを画像解析することを特徴とする請求項１から１４のいずれか一項に記載のデジタルカメラシステム。
【請求項１６】
撮影制御装置及び撮像補助装置に通信接続されたデジタルカメラにおいて、
被写体を撮像して画像データを取得する工程と、
前記取得された画像データを前記撮影制御装置に送信する工程と、
前記撮影制御装置において、
前記デジタルカメラから前記画像データを受信し、当該画像データを画像解析して画像解析値を取得する工程と、
前記画像解析値と基準条件との差分から状態制御情報を作成する工程と、
前記作成された状態制御情報を前記撮像補助装置に送信する工程と、
前記撮像補助装置において、
前記撮影制御装置から前記状態制御情報を受信し、当該状態制御情報に基づいて前記被写体の状態を調整する工程と、
を含み、前記各工程を繰り返して撮影条件を較正することを特徴とする撮影条件の較正方法。
【発明の詳細な説明】
【技術分野】
【０００１】
本発明は、写真館や撮影スタジオ等の写真撮影所での撮影及び現像所（ラボ）での画像処理を行うデジタルカメラシステム及びこれを用いた撮影条件較正方法に関する。
【背景技術】
【０００２】
近年、写真館や撮影スタジオ等の写真撮影所ではデジタルカメラを使用してデジタル撮影を行い、その後、現像所（ラボ）にデジタル画像データを送って、写真プリントの注文を依頼する機会が増加している。写真撮影所では、現像所に写真プリントを注文する際、同一被写体を撮影した複数のデジタル画像データから注文するデジタル画像データを選定し、さらに色補正、階調補正等の画像処理を行なっている。
【０００３】
一方、現像所では、写真撮影所の意向に合った写真プリントとなるように、写真撮影所から送られたデジタル画像データに対し、さらに色補正、階調補正等の画像処理を施し、複数の試し焼きを繰り返しながら、写真プリントの作成を行わなくてはならず、作業が煩雑なものとなっている。
【０００４】
前記写真館及び現像所双方の画像処理の負荷を軽減することができるとともに、各写真館の意向に沿った写真プリントを得ることができるようにするため、デジタル画像データに添付の撮影条件ファイルに画像処理条件を記録する方法が開示されている（例えば、特許文献１参照）。
【０００５】
また、カメラ内部の処理を外部に通信手段を介して委託することにより、カメラを新規に購入しなくても使いやすさや画質の向上が図られ、長期間の使用を可能とする方法が開示されている（例えば、特許文献２参照）。
【特許文献１】特開２００５−３３２５５号公報
【特許文献２】特開２００３−１０１８４９号公報
【発明の開示】
【発明が解決しようとする課題】
【０００６】
ところで、色補正、階調補正等の画像処理は、カメラの露出条件やライティングの変動（エラー）を補正することと、被写体や背景に合わせてより主観的に好ましい写真プリントに仕上げることを目的に施されている。変動（エラー）に起因する補正分については、設定値や測定値を手掛かりに自動化することはできる。しかしながら、主観に依存する分の補正を自動化することは極めて難しい。これは、被写体や背景の違いだけでなく、撮影者によるライティング調整や被写体への指示があることも要因となっている。例えばライティング条件は、顔の特徴や身長等の容姿、立ち位置等と併せて、撮影者により調整されている。また、子供写真館等では、表情が硬くなりがちで、撮影者があごの引き具合や笑顔を促す指示を与えている。
【０００７】
本発明は上記事情に鑑みてなされたものであり、本発明の課題は、写真館や撮影スタジオ等の写真撮影所において、撮影者の撮影条件の較正に要する負荷を軽減し、写真館（撮影側）及び現像所（現像側）の双方の画像処理の負荷を軽減し、さらには撮影設備の長期間の使用を可能とするデジタル撮影システム及び撮影条件較正方法を提供することである。
【課題を解決するための手段】
【０００８】
上記の課題を解決するために、請求項１に記載の発明のデジタルカメラシステムは、
デジタルカメラと、撮像補助装置と、撮影制御装置と、を備え、
前記デジタルカメラは、
被写体の光学像をデジタルの画像データに変換するための撮像手段と、
前記撮影制御装置との通信を介する第１の通信手段と、
前記撮像手段により撮像された前記画像データを、前記第１の通信手段を介して前記撮影制御装置に送信する第１の通信制御手段と、を備え、
前記撮像補助装置は、
前記被写体の状態を調整する撮像補助手段と、
前記撮像補助手段を制御する状態制御手段と、
前記撮影制御装置との通信を介する第２の通信手段と、を備え、
前記撮影制御装置は、
前記デジタルカメラ及び前記撮影制御装置との通信を介する第３の通信手段と、
前記第３の通信手段を介して前記画像データを前記デジタルカメラから受信し、当該画像データを画像解析して、前記状態制御手段を動作するための状態制御情報を取得する画像解析手段と、
前記第３の通信手段を介して前記状態制御情報を前記撮像補助装置に送信する第２の通信制御手段と、を備え、
前記状態制御手段は、前記第２の通信手段を介して前記状態制御情報を前記撮影制御装置から受信し、当該状態制御情報に基づいて前記撮像補助手段を制御して前記被写体の状態を調整することを特徴とする。
【０００９】
請求項２に記載の発明は、請求項１に記載のデジタルカメラシステムにおいて、
前記デジタルカメラは、
前記撮像手段を遠隔操作するための遠隔操作手段を備え、
前記第２の通信制御手段は、前記第３の通信手段を介して前記撮像手段のシャッタ開始を指示する遠隔操作情報を前記デジタルカメラに送信し、
前記遠隔操作手段は、前記第１の通信手段を介して前記遠隔操作情報を前記撮影制御装置から受信し、当該遠隔操作情報に基づいて前記撮像手段を操作することを特徴とする。
【００１０】
請求項３に記載の発明は、請求項２に記載のデジタルカメラシステムにおいて、
前記第１の通信手段は、無線ＬＡＮによりインターネットに接続して通信し、
前記遠隔操作手段は、ＰＴＰ／ＩＰ（Picture Transfer Protocol over Internet Protocol）に準拠することを特徴とする。
【００１１】
請求項４に記載の発明は、請求項１から３のいずれか一項に記載のデジタルカメラシステムにおいて、
前記撮影制御装置は、前記状態制御情報を変更して前記被写体の状態を自動的に最適化する自動較正手段を備えることを特徴とする。
【００１２】
請求項５に記載の発明は、請求項１から４のいずれか一項に記載のデジタルカメラシステムにおいて、
前記第１の通信手段は、前記撮影制御装置及び前記撮像補助装置との通信を介し、
前記第２の通信手段は、前記撮影制御装置及び前記デジタルカメラとの通信を介することを特徴とする。
【００１３】
請求項６に記載の発明は、請求項５に記載のデジタルカメラシステムにおいて、
前記デジタルカメラは、
前記デジタルカメラシステムの利用者を特定するための第１の識別情報と、前記撮影制御装置へ前記第１の通信手段を介して前記画像データの送信を行うための第１のアドレス情報と、前記撮像補助装置へ前記第１の通信手段を介して通信を行うための第２のアドレス情報と、前記撮影制御装置から前記撮像補助装置へ前記第３の通信手段を介して前記状態制御情報を送信するための第３のアドレス情報と、前記デジタルカメラ、撮像補助装置の機種等を特定するための第２の識別情報と、の少なくとも１つを取得する取得手段を備えることを特徴とする。
【００１４】
請求項７に記載の発明は、請求項６に記載のデジタルカメラシステムにおいて、
前記デジタルカメラは、
前記取得手段により取得された情報を前記画像データに添付する第１の添付手段を備えることを特徴とする。
【００１５】
請求項８に記載の発明は、請求項１から７のいずれか一項に記載のデジタルカメラシステムにおいて、
前記デジタルカメラは、
前記撮像手段により撮像されたＲａｗデータ形式の画像データに対し、少なくとも色補正及び階調補正の画像処理を施した画像データ、又は少なくとも色補正及び階調補正の画像処理条件並びに現像条件の添付されたＲａｗデータ形式の画像データを生成する第１の生成手段を備え、
前記第１の通信制御手段は、前記第１の生成手段により生成された画像データを前記第１の通信手段を介して前記撮影制御装置に送信することを特徴とする。
【００１６】
請求項９に記載の発明は、請求項１から８のいずれか一項に記載のデジタルカメラシステムにおいて、
前記デジタルカメラは、
前記撮像手段により撮像された画像データの画像サイズを縮小した縮小画像データ、又は圧縮した圧縮画像データを生成する第２の生成手段を備え、
前記第１の通信制御手段は、前記第２の生成手段により生成された画像データを前記第１の通信手段を介して前記撮影制御装置に送信することを特徴とする。
【００１７】
請求項１０に記載の発明は、請求項１から９のいずれか一項に記載のデジタルカメラシステムにおいて、
前記デジタルカメラは、
前記画像データに対し、Ｅｘｉｆ（Exchangeable Image File Format）情報を添付する第２の添付手段を備えることを特徴とする。
【００１８】
請求項１１に記載の発明は、請求項１から１０のいずれか一項に記載のデジタルカメラシステムにおいて、
前記撮影制御装置は、
前記色補正や階調補正の他、鮮鋭化、ノイズ除去等の画像処理に関する設定パラメータを算出する算出手段を備え、
前記第２の通信制御手段は、前記第３の通信手段を介して前記算出された設定パラメータを前記デジタルカメラに送信し、
前記デジタルカメラは、
前記第１の通信手段を介して前記設定パラメータを前記撮影制御装置から受信し、当該設定パラメータを用いて、前記撮像手段により撮像された画像データに対し画像処理を行う画像処理手段を備えることを特徴とする。
【００１９】
請求項１２に記載の発明は、請求項１から１１のいずれか一項に記載のデジタルカメラシステムにおいて、
前記撮影制御装置は、
プリント注文用の色補正及び階調補正の画像処理の施された画像データ、又は画像処理条件の添付された画像データを生成する第３の生成手段を備え、
前記第２の通信制御手段は、前記第３の通信手段を介して前記第３の生成手段により生成された画像データを前記デジタルカメラに送信することを特徴とする。
【００２０】
請求項１３に記載の発明は、請求項１から１２のいずれか一項に記載のデジタルカメラシステムにおいて、
前記撮像補助手段は、ライティング手段であり、
前記状態制御情報は、前記ライティング手段のライティング条件であり、
前記状態制御手段は、前記ライティング手段の制御を行い、
前記画像解析手段は、少なくともシーン判別処理を用いて前記画像データを画像解析することを特徴とする。
【００２１】
請求項１４に記載の発明は、請求項１から１３のいずれか一項に記載のデジタルカメラシステムにおいて、
前記撮像補助手段は、前記被写体の容姿変更手段であり、
前記状態制御情報は、前記容姿変更手段の容姿条件であり、
前記状態制御手段は、前記容姿変更手段の制御を行い、
前記画像解析手段は、少なくとも表情認識処理を用いて前記画像データを画像解析することを特徴とする。
【００２２】
請求項１５に記載の発明は、請求項１から１４のいずれか一項に記載のデジタルカメラシステムにおいて、
前記遠隔操作手段は、露出制御手段であり、
前記遠隔操作情報が、露出条件であり、
前記画像解析手段が、シーン判別処理及び表情認識処理の少なくとも一つを用いて前記画像データを画像解析することを特徴とする。
【００２３】
請求項１６に記載の発明の撮影条件の較正方法は、
撮影制御装置及び撮像補助装置に通信接続されたデジタルカメラにおいて、
被写体を撮像して画像データを取得する工程と、
前記取得された画像データを前記撮影制御装置に送信する工程と、
前記撮影制御装置において、
前記デジタルカメラから前記画像データを受信し、当該画像データを画像解析して画像解析値を取得する工程と、
前記画像解析値と基準条件との差分から状態制御情報を作成する工程と、
前記作成された状態制御情報を前記撮像補助装置に送信する工程と、
前記撮像補助装置において、
前記撮影制御装置から前記状態制御情報を受信し、当該状態制御情報に基づいて前記被写体の状態を調整する工程と、
を含み、前記各工程を繰り返して撮影条件を較正することを特徴とする。
【発明の効果】
【００２４】
本発明によれば、被写体の状態の調整による撮影条件較正を、撮影者に代わって撮影制御装置及び撮像補助装置が実行でき、撮影者の負荷や撮影のばらつきを軽減できる。また、撮影制御装置での画像データの画像解析により、デジタルカメラ内部の処理負荷を低減できるとともに、デジタルカメラシステム導入後にソフトウェアを更新しても、デジタルカメラを新規に買い換える必要がなく、撮影設備の長期間の使用が可能となる。
【００２５】
また、撮影制御装置がデジタルカメラ及び撮像補助装置への指示を即座に与えることができ、無駄な撮影や画像選定の手間を軽減できる。さらに、撮影制御装置の状態制御情報の作成により、撮影側及び現像側の双方における色補正、階調補正等の画像処理の負荷を軽減できる。
【発明を実施するための最良の形態】
【００２６】
以下、図面を参照して本発明に係る実施の形態及びその変形例を順に詳細に説明する。ただし、発明の範囲は、図示例に限定されない。
【００２７】
図１〜図５を参照して、本実施の形態のデジタルカメラシステム１００の装置構成を説明する。図１に、デジタルカメラシステム１００の構成を示す。図２に、デジタルカメラ１の内部構成を示す。図３に、撮影制御装置７の内部構成を示す。図４に、画像解析部７８の内部構成を示す。図５に、フラッシュ光源５１の外観構成を示す。
【００２８】
図１に示すように、デジタルカメラシステム１００は、写真館や撮影スタジオ等の撮影所に設置される、デジタルカメラ１と、撮像補助装置５と、無線ＬＡＮ（Local Area Network）ポート６と、現像所に設置される撮影制御装置７と、を備えて構成される。
【００２９】
デジタルカメラ１は、デジタルカメラ本体２、カメラ補助装置３等を備える。また、撮像補助装置５は、通信装置４、撮影補助部５１等を備えて構成される。カメラ補助装置３、通信装置４及び無線ＬＡＮポート６は、無線ＬＡＮにより接続されている。また、無線ＬＡＮポート６及び撮影制御装置７は、通信ネットワークＮを介して接続されている。つまり、デジタルカメラ１及び撮像補助装置５は夫々、無線ＬＡＮ及び通信ネットワークＮを介して撮影制御装置７との間で、情報の送受信が可能となっている。また、デジタルカメラ１と撮像補助装置５との間においても、無線ＬＡＮを介して情報の送受信が可能となっている。
【００３０】
無線ＬＡＮは、例えば、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ：米国電気電子技術者協会）において標準化された規格に準拠したものが用いられる。より具体的には、ＩＥＥＥ８０２．１１ａ、ＩＥＥＥ８０２．１１ｂ等の規格に準拠したものを用いることが好ましい。ＩＥＥＥ８０２．１１ｂは、２．４ＧＨｚ帯を使用し、最大１１Ｍｂｐｓの転送速度を規格化した現在主流のものである。ＩＥＥＥ８０２．１１ａは、５．０ＧＨｚ帯を使用し、最大５４Ｍｂｐｓの転送速度を規格化したものである。なお、２．４ＧＨｚ帯を使用し、最大５４Ｍｂｐｓの転送速度を規格化したＩＥＥＥ８０２．１１ｇも提案されている。
【００３１】
通信ネットワークＮは、ＷＡＮ（Wide Area Network）、ＬＡＮ、インターネットプロバイダ等を含むインターネットのネットワークとするが、これに限定されるものではない。
【００３２】
デジタルカメラ１は、撮像手段を備える撮影装置である。撮像手段とは、シャッタースピード、絞り、ＩＳＯ感度等の露出調整機能、合焦機能、ストロボ機能、シャッタ機能等、デジタル画像データを得るために必要な全ての機能である。デジタルカメラ１（デジタルカメラ本体２）は、撮像手段として、ＡＥ（Automatic Exposure：自動露出調整機能）、ＡＦ（Auto Focus：自動合焦機能）、フラッシュ調光機能、画像データの画像処理機能等を備えている。
【００３３】
図２に示すように、デジタルカメラ本体２は、レンズ１１、絞り１２、ＣＣＤ（Charge-Coupled Devices）１３、アナログ処理回路１４、Ａ／Ｄ（Analog to Digital）変換器１５、一時記憶メモリ１６、第１の生成手段及び第２の生成手段としての画像処理部１７、第２の添付手段としてのヘッダ情報処理部１８、記憶デバイス１９、制御部２０、ＣＣＤ駆動回路２１、操作部２２、表示部２３、ストロボ駆動回路２４、ストロボ２５、焦点距離調整回路２６、自動焦点駆動回路２７、モータ２８、遠隔操作手段としての遠隔操作部２９等を備えて構成される。デジタルカメラ本体２の遠隔操作部２９以外の各部は撮像手段として機能する。
【００３４】
デジタルカメラ本体２の光学系は、レンズ１１、絞り１２、ＣＣＤ１３を備えて構成されている。レンズ１１は、フォーカスの調節を行い、被写体の光画像を結像する。絞り１２は、レンズ１１を透過した光束の光量を調節する。ＣＣＤ１３は、レンズ１１により受光面上に結像された被写体光を、ＣＣＤ１３内の各センサ毎に光の入射量に応じた量の電気的な信号（撮像信号）へ光電変換する。そして、ＣＣＤ１３は、ＣＣＤ駆動回路２１から入力されるタイミングパルスに制御されることにより、この撮像信号をアナログ処理回路１４へ順次出力する。また、ＣＣＤ１３に代えて、ＣＭＯＳ（Complementary Metal-Oxide Semiconductor）等の撮像素子としてもよい。
【００３５】
アナログ処理回路１４は、ＣＣＤ１３から入力された撮像信号に対して、ＲＧＢ信号の増幅やノイズの低減処理等を行う。このアナログ処理回路１４における処理は、操作部２２からの操作信号に応じて制御部２０を介してＯＮ／ＯＦＦが切り替えられるようになっている。
【００３６】
Ａ／Ｄ変換器１５は、アナログ処理回路１４から入力された撮像信号をデジタル信号に変換して出力する。以下では、Ａ／Ｄ変換器１５で得られるデジタル信号を画像データとして説明する。
【００３７】
一時記憶メモリ１６は、バッファメモリ等であり、Ａ／Ｄ変換器１５から出力された画像データを一時的に格納する。一時記憶メモリ１６に格納される画像データは、Ｒａｗデータ形式の生データ（画像データ）であり、ＣＣＤ１３のＲ，Ｇ，Ｂカラーフィルタ配列そのままの未処理のデジタル画像データである。
【００３８】
画像処理部１７は、一時記憶メモリ１６に格納された画像データに対し、色補正、階調補正、分光感度のクロストーク補正、暗電流ノイズ抑制、鮮鋭化、ホワイトバランス調整、彩度調整等の画質向上処理の他、画像データの縦及び横サイズの縮小（変更）、トリミング、アスペクト変換、圧縮処理（例えば、ＪＰＥＧ（Joint Photographic Experts Group）形式への変換）等の処理を施す。色補正とは、撮影に用いられる照明装置の色温度を補正することであり、図示しないがデジタルカメラ本体２が、色温度を自動検出する機能又は手動で設定するための設定手段を有している。色補正には、公知の如何なる技術を用いても良い。階調補正とは、撮影に用いられる照明装置の明るさ及びコントラストを補正することであり、図示しないがデジタルカメラ本体２が、ＡＥと連動して、所定の階調カーブを設定するための設定機能を有している。階調補正には、公知の如何なる技術を用いても良い。色補正、階調補正の画像処理条件として、Ｒ，Ｇ，Ｂ値毎に乗算する係数や、ルックアップテーブル等が用いられる。
【００３９】
また、画像処理部１７は、色補正、階調補正等を施した画像データに更に縮小処理を施して縮小画像データを生成し表示部２３に出力する。例えば、画像データを色分離してＲＧＢの各色信号に分け、色分けされたＲ信号、Ｇ信号、Ｂ信号それぞれに、色毎に設定されたローパスフィルタをかけ、ローパスフィルタをかけて得られたＲ信号、Ｇ信号、Ｂ信号を用いて縮小画像データの画素配列に再配列し、画素を一定の割合で間引く処理を行う。
【００４０】
また、画像処理部１７は、色補正、階調補正等を施した画像データに更に圧縮処理を施して画像ファイルを生成する。画像処理部１７は、縮小画像データ及び画像ファイルをヘッダ情報処理部１８に出力する。この画像処理部１７における処理は、操作部２２からの操作信号に応じて制御部２０を介してＯＮ／ＯＦＦが切り替えられるようになっている。また、縮小画像データは、更に圧縮処理が施される構成としてもよい。
【００４１】
ヘッダ情報処理部１８は、画像処理部１７から入力された画像ファイルのファイルヘッダ（ヘッダ領域）に、Ｅｘｉｆ（Exchangeable Image File Format）等のヘッダ情報と、画像処理部１７から入力された縮小画像データと、を添付して添付済画像ファイルを作成する。
【００４２】
記憶デバイス１９は、ＶＲＡＭ（Video RAM）等の半導体メモリと、メモリーカード等の記録メディアを装着する装着部とを備え、制御部２０から入力される制御信号に従って、半導体メモリへのデータの読み書きや、装着部に装着された記録メディア（例えば、スマートメディア、ＳＤ（Secure Digital）カード、メモリスティック、コンパクトフラッシュ（登録商標）、マイクロドライブ等の可搬記憶媒体）の記録されたデータの読み出しや、記録メディアへのデータの書き込みを行う。例えば、記憶デバイス１９は、ヘッダ情報処理部１８で作成された添付済画像ファイルを半導体メモリに記憶したり、記録メディアに記録して保存する。
【００４３】
ＣＣＤ駆動回路２１は、制御部２０から入力される制御信号に従ってタイミングパルスを出力し、ＣＣＤ１３の駆動制御を行う。
【００４４】
制御部２０は、ＣＰＵ（Central Processing Unit）、ＲＡＭ（Random Access Memory）、ＲＯＭ（Read Only Memory）等により構成され、ＣＰＵがＲＯＭに記憶されているシステムプログラム、アプリケーションプログラムのうちの指定されたプログラムを読み出してＲＡＭに展開し、展開したプログラムとの協働で、デジタルカメラ本体２の各部の制御を行う。
【００４５】
例えば、制御部２０は、操作部２２からの操作信号に応じて、レンズ１１の焦点距離とフォーカス（ピント）を調節するモータ２８の制御を行う自動焦点駆動回路２７、焦点距離調整回路２６、ＣＣＤ駆動回路２１、アナログ処理回路１４、一時記憶メモリ１６、画像処理部１７、表示部２３、ストロボ駆動回路２４の制御を行うことにより、撮影動作を実行する。
【００４６】
操作部２２は、シャッターボタン、電源のＯＮ／ＯＦＦボタン、ズームボタン等の各種機能ボタン、カーソルキー等を備え、各ボタンやキーに対応する操作信号を制御部２０に出力する。
【００４７】
表示部２３は、ＬＣＤ（Liquid Crystal Display）又はＥＬ（ElectroLuminescence）ディスプレイ等により構成され、制御部２０により入力された表示制御信号に従って、所要の表示処理を行う。例えば、表示部１５は、デジタルカメラ１の撮影者が撮影に関する設定や条件を確認するための情報を表示したり、画像処理部１７で生成された縮小画像データを表示用の画像データに変換して表示したりする。また、表示部１５は、撮影モード時には、ＣＣＤ１３により取り込まれた画像データを連続的に表示する電子ファインダとしての機能を有する。
【００４８】
ストロボ駆動回路２４は、制御部２０から入力される制御信号により、被写体輝度が低い時にストロボ２５を駆動制御して発光させる。
【００４９】
ストロボ２５は、電池電圧を所定の高電圧に昇圧させ、電荷としてコンデンサに蓄える。そして、ストロボ２５は、ストロボ駆動回路２４に駆動されることにより、コンデンサに蓄えられた電荷によりＸ管を発光して、被写体に対して補助光を照射する。
【００５０】
焦点距離調整回路２６は、制御部２０から入力される制御信号によりモータ２８を制御して、レンズ１１を移動させて焦点距離を調整する。自動焦点駆動回路２７は、制御部２０から入力される制御信号によりモータ２８を制御して、レンズ１１のフォーカス（ピント）を調整する。モータ２８は、焦点距離調整回路２６、自動焦点駆動回路２７の制御により、レンズ１１を移動させる。
【００５１】
遠隔操作部２９は、外部機器との情報の送受信を介し、撮像補助装置５又は撮影制御装置７から送信された遠隔操作情報等に基づき、デジタルカメラ本体２を直接操作（制御）し、また、撮影制御装置７等へ画像データを送信する。例えば、撮影制御装置７からの遠隔操作情報の受信や、撮影制御装置７への記憶デバイス１９に記憶された画像データ（画像ファイル、縮小画像データ）の送信等を介する。
【００５２】
遠隔操作部２９は、デジタルカメラとパーソナルコンピュータ（ＰＣ）間における画像転送プロトコル「Picture Transfer Protocol（ISO15740）」（以下、ＰＴＰと称す）に対応していることが望ましい。ＰＴＰは、デジタル画像データの送信要求だけでなく、ＰＣ側からのデジタルカメラの撮像手段を操作（制御）することが出来よう規格化されている。また、遠隔操作部２９に通信接続される通信部３４は、無線ＬＡＮにより通信ネットワークＮ（インターネット）へ接続する手段（インターフェース）を備えている。このため、遠隔操作部２９は、ＰＴＰを拡張したプロトコル（通信のための規約・手順）としてFotoNation社製、「Picture Transfer Protocol over Internet Protocol」（ＰＴＰ／ＩＰと称す）を用いることが望ましい。また、遠隔操作情報としては、情報の送受信が可能な電子データであれば、どのような形式や書式を採用していても良いが、ＰＴＰ又はＰＴＰ／ＩＰに準拠している場合、ISO15740に準拠して作成する必要がある。つまり、本実施の形態では、遠隔操作部２９がＰＴＰ、ＰＴＰ／ＩＰに準拠したデジタルカメラ１を用いることができる。
【００５３】
カメラ補助装置３は、記憶部３１、取得手段としての情報取得部３２、通信装置３３等を備えて構成される。通信装置３３は、第１の通信手段としての通信部３４、アンテナ３４Ａ、画像読み出し部３５、第１の通信制御手段としてのヘッダ情報処理部３６、一時記憶メモリ３７等を備えて構成される。
【００５４】
記憶部３１は、遠隔操作部２９と接続され、遠隔操作部２９から出力される情報（例えば、画像ファイル）を記憶する。情報取得部３２は、記録媒体から情報を読み出す情報読み出し部や、ユーザからの操作情報入力を受け付ける操作部等により構成され、デジタルカメラシステム１００の利用者（写真撮影所）を特定するための識別情報（例えば、ＩＤ（Identification）番号、顧客情報）を取得し、ヘッダ情報処理部３６に出力する。
【００５５】
通信装置３３は、アンテナ３４Ａを介して、撮像補助装置５や、無線ＬＡＮポート６（撮影制御装置７）と、情報の送受信を行う。例えば、撮影制御装置７から受信した遠隔操作情報を遠隔操作部２９に出力し、撮影制御装置７から受信した画像データの要求を画像読み出し部３５に出力する。
【００５６】
画像読み出し部３５は、記憶部３１から画像ファイルを読み出してヘッダ情報処理部３６に出力する。ヘッダ情報処理部３６は、後述する撮影処理において、画像読み出し部３５から入力される画像ファイルに添付されたヘッダ情報に情報取得部３２から入力された識別情報を加え、同じく画像ファイルに添付された縮小画像データに添付し、そのヘッダ情報を含む縮小画像データを一時記憶メモリ３７に出力する。
【００５７】
一時記憶メモリ３７は、ヘッダ情報処理部３６から入力されたヘッダ情報を含む縮小画像データを一時的に記憶して通信部３４に出力する。そのヘッダ情報を含む縮小画像データは、通信部３４により、情報取得部３２により入力されたアドレス情報に基づいて、撮影制御装置７に送信される。
【００５８】
図１に示すように、撮影制御装置７は、第３の通信手段としての通信部７１、データベース７２、操作装置７３、画像解析手段及び第２の通信制御手段並びに自動較正手段としての画像処理装置７４等を備えて構成される。
【００５９】
通信部７１は、通信ネットワークＮを介して無線ＬＡＮポート６と接続するとともに、データベース７２、操作装置７３、画像処理装置７４に接続され、デジタルカメラ１、撮像補助装置５と、操作装置７３、画像処理装置７４との間の情報の送受信を介する。
【００６０】
データベース７２は、デジタルカメラ１から送信される縮小画像データの解析結果がよいか否かの判定の基準となる各撮影所の基準情報が記憶される。つまり、各基準情報と、各撮影所の識別情報とが関連付けられて記憶されている。
【００６１】
操作装置７３は、現像所の管理者からの操作指示入力を受け付け、その操作指示情報を画像処理装置７４に送信して、画像処理装置７４を操作する。
【００６２】
図３に示すように、画像処理装置７４は、画像入力部７５、ヘッダ情報解析部７６、基準条件調整部７７、画像解析部７８、制御情報作成部７９等を備えて構成される。画像入力部７５は、通信部７１を介するデジタルカメラ１からのヘッダ情報を含む縮小画像データの受信により入力されるヘッダ情報を含む縮小画像データのうち、ヘッダ情報をヘッダ情報解析部７６に出力し、縮小画像データを画像解析部７８に出力する。
【００６３】
ヘッダ情報解析部７６は、画像入力部７５から入力されるヘッダ情報から撮影所の識別情報を読み取り、そのヘッダ情報を画像解析部７８に出力し、またヘッダ情報の識別番号に対応する基準条件をデータベース７２から読み出して取得し基準条件調整部７７に出力する。
【００６４】
基準条件調整部７７は、ヘッダ情報解析部７６から入力される基準条件を計算可能なフォーマット等の形式へ変換することにより調整し、調整した基準情報を制御情報作成部７９に出力する。
【００６５】
図４に示すように、画像解析部７８は、シーン解析部７８Ａ、表情認識部７８Ｂを有する。シーン解析部７８Ａは、画像入力部７５から入力される縮小画像データを、ヘッダ情報解析部７６から入力されるヘッダ情報に基づいてシーン解析してその解析結果を制御情報作成部７９に出力する。表情認識部７８Ｂは、画像入力部７５から入力される縮小画像データを、ヘッダ情報解析部７６から入力されるヘッダ情報に基づいて被写体の人物の表情を解析してその解析結果を制御情報作成部７９に出力する。
【００６６】
制御情報作成部７９は、シーン解析部７８Ａ又は表情認識部７８Ｂから入力される解析結果と、基準条件調整部７７から入力される基準条件とに基づいて状態制御情報を作成して通信部７１に出力する。状態制御情報は、撮像補助装置５を制御して被写体の状態を調整するための情報であり、通信部７１を介して撮像補助装置５に送信される。状態制御情報は、通信部７１を介して送受信が可能な電子データであれば、どのような形式や書式を採用していても良い。
【００６７】
また、制御情報作成部７９は、遠隔操作情報を作成して通信部７１に出力する。遠隔操作情報は、デジタルカメラ本体２を操作制御するための情報であるが、本実施の形態においてはデジタルカメラ本体２のシャッタトリガを与えるシャッタ開始指示情報のみを含むものとする。遠隔操作情報は、通信部７１を介してデジタルカメラ本体２に送信される。
【００６８】
図１に示すように、撮像補助装置５は、通信装置４、撮像補助手段としての撮像補助部５０等を備えて構成される。通信装置４は、状態制御手段としての状態制御部４１、第２の通信手段としての通信部４２、アンテナ４３等を備えて構成される。状態制御部４１は、ＣＰＵ、ＲＡＭ及びＲＯＭ等により構成され、ＲＯＭから読み出されてＲＡＭに展開されたプログラムと、ＣＰＵとの協働により各種処理を実行する。状態制御部４１は、撮影制御装置７から受信した状態制御情報に基づいて撮像補助部５０を制御する。通信部４２は、アンテナ４３を介してデジタルカメラ１、撮影制御装置７と撮像補助装置５との間の情報の送受信を行う。
【００６９】
撮像補助部５０は、デジタルカメラ１の撮影を補助する装置であり、状態制御部４１により制御される。本実施の形態において、撮像補助部５０は、図５に示すように、ライティング手段としてのフラッシュ（閃光）光源５１であるものとする。フラッシュ光源５１は、状態制御部４１により状態制御情報に基づいて光の照射方向、明るさ等が制御される。
【００７０】
次に、図６〜図１１を参照して、デジタルカメラシステム１００の動作を説明する。図６に、撮影条件較正処理の流れを示す。図７に、撮影処理の流れを示す。図８に、状態制御処理の流れを示す。
【００７１】
図６を参照して、撮影制御装置７（画像処理装置７４）において実行される撮影条件較正処理を説明する。撮影制御装置７において、例えば、管理者から操作装置７３を介して撮影条件較正処理の実行指示が入力されたことをトリガとして、撮影条件較正処理が実行される。
【００７２】
先ず、通信部７１を介してデジタルカメラ１からヘッダ情報を含む縮小画像データが受信される（ステップＳ１１）。そして、画像入力部７５を介してヘッダ情報を含む縮小画像データが入力され、ヘッダ情報解析部７６によりヘッダ情報（撮影所の識別情報）が解析され、ヘッダ情報やヘッダ情報に関する情報を用いて、入力された縮小画像データが画像解析部７８により解析されるとともに、データベース７２からヘッダ情報や解析結果等に対応する基準条件が読み出され基準条件調整部７７により調整される（ステップＳ１２）。
【００７３】
そして、制御情報作成部７９において、画像解析部７８により解析された解析結果と、基準条件調整部７７により調整された基準条件との差分が算出され、その差分が所定値以内で適切な画像であるか否かの画像判定がＯＫであるか否かが判別される（ステップＳ１３）。画像判定がＯＫである場合（ステップＳ１３；ＹＥＳ）、制御情報作成部７９により画像解析が終了し本撮影がＯＫである旨の終了情報が作成され通信部７１を介してデジタルカメラ１及び撮像補助装置５に送信され（ステップＳ１４）、撮影条件較正処理が終了する。
【００７４】
画像判定がＮＧである場合（ステップＳ１３；ＮＯ）、解析結果及び基準条件の差分に基づいて、その差分を縮小するため撮像補助装置５を制御する状態制御情報が状態制御情報作成部７９Ａにより作成される（ステップＳ１５）。そして、作成された状態制御情報が通信部７１を介して撮像補助装置５に送信される（ステップＳ１６）。例えば、ヘッダ情報に含まれる撮像補助装置５のＩＰアドレスを用いて送信される。そして、送信した状態制御情報に対応して状態制御が完了したことを示す状態制御完了情報を通信部７１を介して撮像補助装置５から受信したか否かが判別される（ステップＳ１７）。状態制御完了情報を受信していない場合（ステップＳ１７；ＮＯ）、ステップＳ１７に移行される。
【００７５】
状態制御完了情報を受信した場合（ステップＳ１７；ＹＥＳ）、デジタルカメラ１のシャッタ指示情報としての遠隔操作情報が制御情報作成部７９により作成されて通信部７１を介してデジタルカメラ１に送信され（ステップＳ１８）、ステップＳ１１に移行される。例えば、ヘッダ情報に含まれるデジタルカメラ１のＩＰアドレスを用いて送信される。
【００７６】
次いで、図７を参照して、デジタルカメラ１において実行される撮影処理を説明する。デジタルカメラ１において、例えば、撮影者から操作部２２を介して撮影処理の実行指示が入力されたことをトリガとして、撮影処理が実行される。また、予め、撮影所の識別情報が情報取得部３２から入力されているものとし、露出条件等の初期条件としての撮影条件が撮影者の操作部２２を介する入力又は図示しない記憶部に記憶されたデフォルト値により設定されているものとする。また、撮影所内に人物等の被写体が撮影スタンバイされているものとする。
【００７７】
先ず、撮影者による操作部２２のシャッタボタン押下による被写体撮影が行われる（ステップＳ２３）。そして、被写体の画像データ生成とともに画像処理部１７による縮小画像データが作成され、そのヘッダ情報及び縮小画像データが添付された画像データが記憶部３１に仮記憶され、ヘッダ情報処理部３６において、画像読み出し部３５により記憶部３１から読み出されたヘッダ情報及び縮小画像データに、情報取得部３２により取得されたヘッダ情報（識別情報、ＩＰアドレス等）が追加され、そのヘッダ情報を含む縮小画像データが一時記憶メモリ３７に記憶される（ステップＳ３５）。
【００７８】
そして、撮影条件較正処理のステップＳ１１に対応して、ヘッダ情報を含む縮小画像データが通信部３４を介して送信される（ステップＳ２４）。そして、撮影条件較正処理のステップＳ１４又はＳ１９に対応して、通信部３４を介して撮影制御装置７から情報（終了情報又は遠隔操作情報）が受信される（ステップＳ２５）。情報を受信しない場合（ステップＳ２５；ＮＯ）、ステップＳ２５に移行される。
【００７９】
情報を受信した場合（ステップＳ２５；ＹＥＳ）、受信した情報が終了情報か否かが判別される（ステップＳ２６）。終了情報である場合（ステップＳ２６；ＹＥＳ）、記憶部３１に仮記憶された画像データが保存とされ（ステップＳ２７）、撮影処理が終了する。
【００８０】
終了情報でなく遠隔操作情報である場合（ステップＳ２６；ＮＯ）、シャッタ開始指示情報としての遠隔操作情報に基づいてシャッタが切られて被写体が撮影され（ステップＳ２８）、ステップＳ２３に移行される。
【００８１】
本撮影後に記憶部３１に保存された画像ファイルは、通信部３４を介して、現像のために撮影制御装置７に送信される。撮影制御装置７において、デジタルカメラ１から受信した画像ファイルを図示しない現像手段で現像される。
【００８２】
また、本撮影後に記憶部３１に保存された画像ファイルを、表示部２３や、デジタルカメラ１にインターフェースを介して接続された表示手段（例えば、ＬＣＤ（Liquid Crystal Display）、ＣＲＴディスプレイ、有機ＥＬディスプレイ、プラズマディスプレイ等のディスプレイ）に表示するようにしても良い。さらに、記憶部３１に保存された画像ファイルを、デジタルカメラ１本体に備えられた記憶デバイス１９や、デジタルカメラ１にインターフェースを介して接続された記録手段（例えば、インクジェットプリンタ、昇華プリンタ、レーザープリンタ、インスタントフィルム、銀塩プリンタ等のプリンタ）に記録するようにしても良い。
【００８３】
次いで、図８を参照して、撮像補助装置５において実行される状態制御処理を説明する。撮像補助装置５において、例えば、電源がオンされたことをトリガとして、状態制御部４１により状態制御処理が実行される。
【００８４】
先ず、図示しない操作部を介する入力又は図示しない記憶部に記憶されたデフォルト値により、撮像補助部５０の状態の初期条件としての状態条件が設定される（ステップＳ３１）。そして、初期設定中の状態条件により撮像補助部５０が状態制御される（ステップＳ３２）。本実施の形態では、撮像補助部５０がフラッシュ光源５１であるため、例えば、フラッシュの明るさが設定され、デジタルカメラ１から無線ＬＡＮを介して送信されるトリガ情報に基づいてフラッシュ光源５１のフラッシュがたかれる。
【００８５】
そして、撮影条件較正処理のステップＳ１４又はＳ１６に対応して、通信部４２を介して撮影制御装置７から情報（終了情報又は状態制御情報）が受信されたか否かが判別される（ステップＳ３３）。情報が受信されない場合（ステップＳ３３；ＮＯ）、ステップＳ３３に移行される。情報が受信された場合（ステップＳ３３；ＹＥＳ）、受信した情報が終了情報であるか否かが判別される（ステップＳ３４）。終了情報である場合（ステップＳ３４；ＹＥＳ）、状態制御処理が終了する。
【００８６】
終了情報でなく状態制御情報である場合（ステップＳ３４；ＮＯ）、受信した条件状態情報に基づいて、状態条件が再設定される（ステップＳ３５）。そして、設定中の状態条件により撮像補助部５０が状態制御される（ステップＳ３６）。そして、撮影条件較正処理のステップＳ１７に対応して、状態制御完了情報が生成されて通信部４２を介して撮影制御装置７へ送信され（ステップＳ３７）、ステップＳ３３に移行される。
【００８７】
ここで、図９〜図１１を参照して、画像解析と状態制御情報の具体例を挙げる。図９に、縮小画像データＰ１０を示す。図１０（ａ）に、背景領域データＰ１１を示す。図１０（ｂ）に、床領域データＰ１２を示す。図１０（ｃ）に、ウエディングドレス領域データＰ１３を示す。図１０（ｄ）に、人物顔領域データＰ１４，Ｐ１５を示す。図１０（ｅ）に、チャート領域データＰ１６を示す。図１１に、光源調整値と画像値との相関を示す。
【００８８】
先ず、撮像補助部５０がフラッシュ光源５１である場合に、状態制御情報の作成手順の一例を詳述する。撮影条件較正処理のステップＳ１１において、図９に示す縮小画像データＰ１０が受信される。すると、ステップＳ１２において、シーン解析部７８Ａにより、特定箇所抽出方法（シーン判別）を用いて、図１０（ａ）〜（ｅ）に示す背景領域データＰ１１、床領域データＰ１２、ウエディングドレス領域データＰ１３、人物領域データ内の人物顔領域データＰ１４，Ｐ１５、チャート領域データＰ１６の各領域が抽出される。
【００８９】
抽出された各領域の種類と、予めデータベース７２に登録されヘッダ情報解析部７６により読み出される各領域に対応する情報とから、シーン解析部７８Ａにより、顧客（撮影場所）において撮影されるシーンの判別処理を行い、撮影シーンが、婚礼写真であると特定される。そして、撮影シーンを特定後、予めデータベース７２に登録されヘッダ情報解析部７６に読み出される特徴点の座標が読み出され、各領域の特徴点が特定される。図１０（ａ）〜（ｅ）では、特徴点が黒丸で示されている。
【００９０】
そして、シーン解析部７８Ａにより、下記表１に示す表を用いて、抽出部位の特徴点毎の輝度値（L*）が算出され、データベース７２に登録済でヘッダ情報解析部７６により読み出されて基準条件調整部７７により適切な形式に変換された基準値（L*）が基準条件として取得される。そして、状態制御情報作成部７９Ａにより、シーン解析部７８Ａで算出された輝度値（L*）と、基準条件調整部７７から出力される基準値（L*）との差分値（L*）が算出される。表１には、抽出部位毎の測定値（L*値）、基準値（L*値）、差分値（L*値）と、各特徴点の調整に係るフラッシュ光源５１Ａ，５１Ｂ，５１Ｃとの対応を示す。
【表１】
2007067870.tif 000003
【００９１】
そして、算出された差分値が、−２以下、または＋２以上であった場合、状態制御情報作成部７９Ａにより、各特徴点に係る照明装置の明るさ調整値が、図１１に示す光源調整値と画像値（ΔL*）との相関図に基づき算出される。そして、その算出結果に基づいて、状態制御情報作成部７９Ａにより状態制御情報が作成されて撮像補助装置５に送信される。例えば、状態制御情報（ライティング条件）として、
フラッシュ光源５１Ａ：  ＋５
フラッシュ光源５１Ｂ：  ＋５
フラッシュ光源５１Ｃ：  −１０
のように制御する情報とする。
【００９２】
また、シーン解析部７８Ａによるシーン解析には、上記の他にも公知の如何なる技術を用いても良い。被写体の種類や構図を特定したり、特定の位置や領域の明るさを自動的に検出する方法としては、公知の特定箇所抽出方法（抽出アルゴリズム）を用いればよい。このような特定箇所抽出方法としては、例えば、特開平９−１３８４７０号公報に開示される、特定色を抽出する方法、特定形状パターンを抽出する方法、背景に相当すると推定される領域を除去する方法等、複数の異なる特定箇所（主要部）抽出方法をあらかじめ評価して重みを定め、各抽出方法で特定箇所を抽出して、抽出された特定箇所を定めた重みで重み付けし、その結果に応じて主要部を判定、抽出する方法が例示される。
【００９３】
また、別の特定箇所抽出方法としては、特開平９−１３８４７１号公報に開示される、画像中の複数点の濃度または輝度を測定してその変化量を求め、変化量が所定値以上の点を基準点として設定した後に、基準点から所定範囲内で濃度等の変化量等を用いて検索範囲および検索方向パターンを設定し、検索範囲内で検索方向パターンが示す方向における濃度等の変化量が所定値以上の箇所を検索して、次いでこの箇所を基準として検索を行うことを繰り返し、検索・設定した基準点を結んで特定箇所を抽出する方法が例示される。
【００９４】
本態様においては、これ以外にも、特開平４−３４６３３３号、同５−１５８１６４号、同５−１６５１２０号、同６−１６０９９３号、同８−１２２９４４号、同８−１８４９２５号、同９−１０１５７９号、同９−１４６１９４号、同９−１９７５７５号等の各公報に開示される特定箇所抽出方法も好適に利用可能である。
【００９５】
なお、人物の顔領域等の特定領域を抽出する方法としては、特開平４−３４６３３３号、同５−１５８１６４号、同５−１６５１２０号、同６−１６０９９３号、同８−１８４９２５号、同９−１０１５７９号、同９−１３８４７０号、同９−１３８４７１号、同９−１４６１９４号、同９−１９７５７５号等の各公報に開示された方法も好適に利用可能である。
【００９６】
また、本出願人らによる特願２００４−２７４８６８、同２００４−２７５２１２、同２００４−２７５２３９等において記載の、デジタル画像を解析して、撮影時のライティング条件と露出条件を定量的に示す指標を算出する方法も、好適に用いることができる。
【００９７】
以上、本実施の形態によれば、被写体の状態の調整の撮影条件の較正を、撮影者に代わって撮影制御装置７及び撮像補助装置５が実行でき、撮影者の負荷や撮影のばらつきを軽減できる。また、撮影制御装置７での縮小画像データの画像解析により、デジタルカメラ１内部の処理負荷を低減できるとともに、デジタルカメラシステム１００導入後にソフトウェアを更新しても、デジタルカメラを新規に買い換える必要がなく、撮影設備の長期間の使用が可能となる。
【００９８】
また、撮影制御装置７が、撮像補助装置５への指示を即座に与えることができ、無駄な撮影や画像選定の手間を軽減できる。さらに、撮影制御装置７が、撮影所の意向に合った写真プリントとなるように、予め設定された基準条件に基づいて撮像補助装置５への状態制御情報を作成することにより、撮影所及び現像所の双方における色補正、階調補正等の画像処理の負荷を軽減できる。また、撮影して得た画像データを画像解析して状態制御情報を作成することを繰り返すので、状態制御情報を現状に合わせて変更でき、自動的に撮影条件を較正できる。
【００９９】
また、撮像補助部５０をフラッシュ光源５１とするので、フラッシュのライティング設定の最適化に要する撮影者の負荷や撮影のばらつきを軽減できる。
【０１００】
また、デジタルカメラ１において縮小画像データを作成して撮影制御装置７に送信するので、その通信負担及び通信時間と、撮影制御装置７側での画像解析負担及び画像解析時間と、を軽減できる。また、撮影制御装置７において、画像データに添付される撮影所の識別情報を用いて容易に画像解析のための基準条件を特定でき、デジタルカメラ１、撮影制御装置７において、画像データに添付されるＩＰアドレスに基づいて容易に通信できる。
【０１０１】
（変形例）
図１２〜図１５を参照して、上記実施の形態の変形例を説明する。上記実施の形態では、撮像補助部５０としてフラッシュ光源５１が用いられる場合を説明したが、本変形例では、撮像補助部５０として容姿変更手段としてのモニタ５２が用いられる。モニタ５２は、ＣＲＴ（Cathode Ray tube）、ＬＣＤ等のディスプレイを有し、状態制御部４１により状態制御情報に基づいて各種表示情報がディスプレイに表示制御される。
【０１０２】
図１２に、モニタ５２の外観構成を示す。図１３に、人物の顔領域データＰ２１を示す。図１４（ａ）に、特徴点を抽出した人物の顔領域データＰ２１を示す。図１４（ｂ）に、抽出した顔パーツデータＰ２２，Ｐ２３を示す。図１５は、指示画面Ｆ１の構成を示す。
【０１０３】
撮像補助部５０がモニタ５２である場合に、状態制御情報の作成手順の一例を詳述する。撮影条件較正処理のステップＳ１２において、表情認識部７８Ｂにより、特定箇所抽出方法（表情認識）を用いて、図１３に示す人物の顔領域データＰ２１が抽出される。顔領域を抽出する方法としては、米Identix社製顔認識技術「FaceIt」がある。FaceItは、デジタル画像から顔の輪郭、目、鼻、口、耳などの距離間隔、肌の色情報などを取得し、人間の顔を認識する技術である。また、例えば特開平８−１２２９４４号公報に開示されている方法を好適に適用することができる。
【０１０４】
そして、表情認識処理の結果、図１４（ａ）に示すように、まず、表情認識部７８Ｂにより、目と口が特徴点として抽出される。
【０１０５】
そして、図１４（ｂ）に示すように、状態制御情報作成部７９Ａにおいて、表情認識部７８Ｂにより抽出された右目の顔パーツデータＰ２２及び口の顔パーツデータＰ２３と、予めデータベース７２に登録されてヘッダ情報解析部７６により読み出されて基準条件調整部７７により適切な形式に変換された基準条件としての理想的な笑顔の時の目と口の顔パーツ画像と、の一致度合いの評価が行なわれる。
【０１０６】
一致度合いが低い値を示した場合に、状態制御情報作成部７９Ａにより、その結果が状態制御情報として撮像補助装置５に対して送信される。例えば、状態制御情報（容姿調整条件）として、
顔の上下確度：  適正
顔の左右確度：  適正
顔の回転確度：  適正
顔の表情：  笑顔不足
の内容を含む場合に、図１５に示す指示画面Ｆ１のように、笑顔の動作例画像Ｆ１１を含み被写体に笑顔を促す旨がモニタ５２に表示される。また、その表示とともに被写体に笑顔を促す旨を音声出力する構成としてもよい。
【０１０７】
また、指示画面Ｆ１に示すように、階調最適度、色最適度を、撮影に必要な水準を１００点満点として現在の点数を表示し、それらの点数が１００点以上になるまで再撮影を続けることとしてもよい。
【０１０８】
また、表情認識部７８Ｂによる表情認識処理としては、上記以外にも公知の如何なる技術を用いても良い。「表情認識技術」には、ＰＲＭＵ９９−１３８「顔器官輪郭の自動抽出と表情認識の自動化」小林宏・高橋久徳・菊地耕生（東京理科大）、ＰＲＭＵ９９−１３９「ポテンシャルネットを用いた顔領域の推定と表情認識」別所弘章（イメージ情報科研）・岩井儀雄・谷内田正彦（阪大）、ＰＲＭＵ９９−１４０（特別講演）「顔面表情認知研究と画像処理技術」山田寛（日大／ＡＩＲ）、ＰＲＭＵ９９−１４２（特別招待論文）「インタラクションのための人物動作解析と認識」谷内田正彦・岩井儀雄（阪大）等があり、これらの「表情認識技術」を好適に適用することができる。
【０１０９】
以上、本変形例によれば、上記実施の形態と同様の効果を有するとともに、撮像補助部５０をモニタ５２とするので、被写体の容姿が最適になるような指示を表示でき、被写体の容姿の最適化に要する撮影者の負荷や撮影のばらつきを軽減できる。
【０１１０】
なお、上記実施の形態及び変形例における記述は、本発明に係る好適なデジタルカメラシステム及び撮影条件の較正方法の一例であり、これに限定されるものではない。
【０１１１】
例えば、撮像補助装置５は、撮像補助部５０としてフラッシュ光源５１、モニタ５２を用いるものとしたがこれに限定されるものではなく、他の撮像補助部としてもよい。例えば、撮像補助部５０として図１６（ａ）に示すライティング手段としての定常光光源５３としてもよい。定常光光源５３は、状態制御部４１による状態制御情報に基づく制御により照射の位置、明るさ及び照射方向を変更可能であるものとする。また、撮像補助部５０として図１６（ｂ）に示す椅子５４としてもよい。椅子５４は、モータ等の高さ調整手段を備え、状態制御部４１による状態制御情報に基づく高さ調整手段の制御により高さ（被写体人物の高さ）を変更可能であるものとする。椅子５４に背もたれをつけて、被写体の向きを回転変更可能な構成としてもよい。
【０１１２】
また、撮像補助部５０として図１６（ｃ）に示す容姿変更手段としての玩具５５としてもよい。玩具５５は、移動手段を備え、状態制御部４１による状態制御情報に基づく移動手段の制御により、その位置を変更可能であるものとする。例えば、被写体が子供である場合に、玩具５５の方向に顔を向けさせ、さらに笑顔にさせることができる。また、撮像補助部５０として図１６（ｄ）に示すカメラスタンド５６としてもよい。カメラスタンド５６は、デジタルカメラ１を取り付け可能な位置移動手段を備え、状態制御部４１による状態制御情報に基づく位置移動手段の制御により、そのデジタルカメラ１位置を変更可能であるものとする。
【０１１３】
また、撮像補助部５０は、被写体の状態に影響を与えられるものであれば、大きさや被写体との距離、あるいは作用方式（例えば、接触・非接触）などは如何なるものであっても良い。また、撮像補助部５０は、概観形状は本来の機能とは無関係で良い。例えば、撮像補助部５０及びデジタルカメラ１を一体的に形成して、人型や犬型をした所謂ロボットとする構成としてもよい。このロボットは、状態制御によりデジタルカメラ１の撮影位置、撮影方向、ロボットの位置等を移動可能である。このロボットは、デジタルカメラ１の機能を補助することを目的とした、撮像手段や、撮像手段のための構成部品（例えば、レンズや照明装置）を備えていても良い。
【０１１４】
また、上記実施の形態及び変形例では、縮小画像データを撮影制御装置７で画像解析する構成としたが、これに限定されるものではなく、デジタルカメラ１において、Ａ／Ｄ変換器１５から出力されるＲａｗデータ形式の画像データ、画像処理部１７において少なくとも色補正、階調補正の画像処理が施されたＲａｗデータ形式の画像データ、圧縮された画像データ、又は階調補正の画像処理条件及び現像条件の添付されたＲａｗデータ形式の画像データが撮影制御装置７に送信され、その画像データが撮影制御装置７で画像解析する構成としてもよい。
【０１１５】
色補正、階調補正の画像処理条件とは、Ｒ，Ｇ，Ｂ値毎に乗算する係数や、ルックアップテーブル等である。現像条件とは、Ｒ，Ｇ，Ｂカラーフィルタ配列そのままの未処理のデジタル画像を処理して、補正済画像（例えば、ＪＰＥＧ形式の画像ファイル）を生成するための条件である。デジタルカメラは、カメラメーカやカメラ機種により、撮像素子の画素数、画素配列、カラーフィルタの配列、分光特性等が異なるため、Ｒａｗデータ形式の画像データの現像条件も、デジタルカメラ毎に異なっている。
【０１１６】
また、デジタルカメラ１の機種の識別情報を現像条件としてＲａｗデータ形式の画像データに添付しておき（通常、タグに記録されている）、Ｒａｗデータ形式の画像データを現像する際に、添付されたデジタルカメラ１の機種を特定する情報と、現像条件からなるデータ（データベース）とにより、現像条件を特定しても良い。
【０１１７】
また、上記実施の形態及び変形例では、デジタルカメラ１の撮影を、初回に手動撮影とし、２回目以降を遠隔操作による自動撮影としたが、これに限定されるものではなく、全て手動撮影としたり、全て遠隔操作撮影とする構成などとしてもよい。全て手動撮影とする場合には、デジタルカメラ１において、撮像補助装置５からの状態制御完了情報を受信するまで、シャッタボタンを押せない方式とすることが望ましい。また、デジタルカメラ１は、状態制御完了情報の受信完了情報を、撮像補助装置５に送信することが望ましい。
【０１１８】
また、撮影制御装置７が受信した画像データ（縮小画像データ）を、デジタルカメラ１及び撮像補助装置５のうちの少なくとも一つに送信する構成としてもよい。この場合、デジタルカメラ１及び撮像補助装置５のうちの少なくとも一つが画像データを撮影制御装置７から受信し、さらに、デジタルカメラ１、撮像補助装置５が画像データを、他のデジタルカメラ、撮像補助装置、撮影制御装置に送信する構成としてもよい。
【０１１９】
また、撮影制御装置７が、前記色補正や階調補正の他、鮮鋭化、ノイズ除去等の画像処理に関する設定パラメータを算出手段として算出し、デジタルカメラ１及び撮像補助装置５の少なくとも一つに送信し、これを受信したデジタルカメラ１、撮像補助装置５が、画像処理に関する設定パラメータを用いて、受信した画像データに対し画像処理手段として画像処理を行なうようにしても良い。例えば、デジタルカメラ１が受信した設定パラメータを利用して撮像した画像データの画像処理を行う場合、その画像処理負担を軽減できる。
【０１２０】
また、今後新たに付与される、あるいは更新される予定のある画像処理も、撮影制御装置７で行なうようにすることが望ましい。また、デジタルカメラシステム１００において、撮影制御装置７が、プリント注文用の色補正、階調補正等の画像処理の施された画像データ、画像処理条件の添付されたＲａｗ画像データを、デジタルカメラ１及び撮像補助装置５に送信するようにしても良い。
【０１２１】
また、デジタルカメラ１は、デジタルカメラ本体２、カメラ補助装置３を備える構成としたが、これに限定されるものではなく、デジタルカメラ本体２及びカメラ補助装置３（通信装置等）が一体的に構成されるものとしてもよい。
【０１２２】
また、情報取得部３２は、撮影所の識別情報と、デジタルカメラ１、撮像補助装置５及び撮影制御装置７間の通信に必要なアドレス情報（ＩＰアドレス）と、デジタルカメラ１の機種を識別する識別情報と、の少なくとも一つを取得し、その取得した情報がヘッダ情報処理部３６により画像データ（縮小画像データ）に添付される構成としてもよい。
【０１２３】
また、以上の実施の形態及び変形例におけるデジタルカメラシステム１００を構成する各部の細部構成及び細部動作に関して本発明の趣旨を逸脱することのない範囲で適宜変更可能である。また、上記実施の形態及び変形例等を適宜組み合わせることとしてもよい。例えば、同一種類、複数種類の撮像補助部を組み合わせて用いたり、シーン解析処理及び容姿認識処理を組み合わせて実行することとしてもよい。
【図面の簡単な説明】
【０１２４】
【図１】デジタルカメラシステム１００の構成を示すブロック図である。
【図２】デジタルカメラ１の内部構成を示すブロック図である。
【図３】撮影制御装置７の内部構成を示すブロック図である。
【図４】画像解析部７８の内部構成を示すブロック図である。
【図５】フラッシュ光源５１の外観構成を示す図である。
【図６】撮影条件較正処理を示すフローチャートである。
【図７】撮影処理を示すフローチャートである。
【図８】状態制御処理を示すフローチャートである。
【図９】縮小画像データＰ１０を示す図である。
【図１０】（ａ）は、背景領域データＰ１１を示す図である。（ｂ）は、床領域データＰ１２を示す図である。（ｃ）は、ウエディングドレス領域データＰ１３を示す図である。（ｄ）は、人物顔領域データＰ１４，Ｐ１５を示す図である。（ｅ）は、チャート領域データＰ１６を示す図である。
【図１１】光源調整値と画像値との相関図である。
【図１２】モニタ５２の外観構成を示す図である。
【図１３】人物の顔領域データＰ２１を示す図である。
【図１４】（ａ）は、特徴点を抽出した人物の顔領域データＰ２１を示す図である。（ｂ）は、抽出した顔パーツデータＰ２２，Ｐ２３を示す図である。
【図１５】指示画面Ｆ１の構成を示す図である。
【図１６】（ａ）は、定常光光源５３の外観構成を示す図である。（ｂ）は、椅子５４の外観構成を示す図である。（ｃ）は、玩具５５の外観構成を示す図である。（ｄ）は、カメラスタンド５６の外観構成を示す図である。
【符号の説明】
【０１２５】
１００  デジタルカメラシステム
１  デジタルカメラ
２  デジタルカメラ本体
１１  レンズ
１２  絞り
１３  ＣＣＤ
１４  アナログ処理回路
１５  Ａ／Ｄ変換器
１６  一時記憶メモリ
１７  画像処理部
１８  ヘッダ情報処理部
１９  記憶デバイス
２０  制御部
２１  ＣＣＤ駆動回路
２２  操作部
２３  表示部
２４  ストロボ駆動回路
２５  ストロボ
２６  焦点距離調整回路
２７  自動焦点駆動回路
２８  モータ
２９  遠隔操作部
３  カメラ補助装置
３１  記憶部
３２  情報取得部
３３  通信装置
３４  通信部
３４Ａ  アンテナ
３５  画像読み出し部
３６  ヘッダ情報処理部
３７  一時記憶メモリ
４  通信装置
４１  状態制御部
４２  通信部
４３  アンテナ
５  撮像補助装置
５０  撮像補助部
５１  フラッシュ光源
５２  モニタ
５３  定常光光源
５４  椅子
５５  玩具
５６  カメラスタンド
６  無線ＬＡＮポート
７  撮影制御装置
７１  通信部
７２  データベース
７３  操作装置
７４  画像処理装置
７５  画像入力部
７６  画像解析部
７７  基準条件調整部
７８  ヘッダ情報解析部
７８Ａ  シーン解析部
７８Ｂ  表情認識部
７９  制御情報作成部
７９Ａ  状態制御情報作成部
７９Ｂ  遠隔操作情報作成部
Ｎ  通信ネットワーク
【図１】
2007067870.tif 000004
【図２】
2007067870.tif 000005
【図３】
2007067870.tif 000006
【図４】
2007067870.tif 000007
【図５】
2007067870.tif 000008
【図６】
2007067870.tif 000009
【図７】
2007067870.tif 000010
【図８】
2007067870.tif 000011
【図９】
2007067870.tif 000012
【図１０】
2007067870.tif 000013
【図１１】
2007067870.tif 000014
【図１２】
2007067870.tif 000015
【図１３】
2007067870.tif 000016
【図１４】
2007067870.tif 000017
【図１５】
2007067870.tif 000018
【図１６】
2007067870.tif 000019